(57)【特許請求の範囲】
【請求項１】
床板の下方より上方へ引き出されるとともに、床板上に立設され、床板からの継手の高さを示す目盛が外周面に印されている筒状の固定部材内に挿通された可撓性を有する給水又は給湯配管と、水栓器具に接続されて下方へ延び、可撓性を有する接続配管とを、少なくとも止水栓を備えた継手に接続し、その継手を前記固定部材の上部に支持する給水又は給湯配管の接続構造。
【発明の詳細な説明】
【０００１】
【発明の属する技術分野】
この発明は、例えば、建築物内に配設された給水又は給湯配管と、台所、洗面所、トイレ等の水栓器具との間における給水又は給湯配管の接続構造に関するものである。
【０００２】
【従来の技術】
例えば、台所における給水配管の接続構造は、図８に示すように、給水配管６０が建築物内に配設され、その給水配管６０には、同給水配管６０に対して約９０度をなすように曲げ形成されたエルボ６１の下端部が接続される。そのエルボ６１の側端部は建築物の壁板６２を貫通し、台所の壁板６２に沿って立設されたキャビネット内に配置されるとともに、そのエルボ６１の側端部にはアングル型の止水栓６３の接続部が接続される。
【０００３】
その止水栓６３の別の接続部には逆止弁ソケット６４の下端部が接続され、その逆止弁ソケット６４の上端部には、水栓金具に上端部が接続された接続配管６５の下端部が接続される。また、前記止水栓６３、逆止弁ソケット６４及び接続配管６５はキャビネット内を仕切る仕切り板６６と壁板６２の間に配置されている。
【０００４】
【発明が解決しようとする課題】
ところが、従来構成においては、給水配管６０とエルボ６１、エルボ６１と止水栓６３、止水栓６３と逆止弁ソケット６４、逆止弁ソケット６４と接続配管６５及び接続配管６５と水栓金具とを接続しなければならず、多数の接続作業が必要であった。そのため、水栓金具と給水配管６０とを接続する作業が非常に面倒であるという問題があった。
【０００５】
この発明は、このような従来技術に存在する問題点に着目してなされたものである。その目的とするところは、水栓器具と給水又は給湯配管との間の接続箇所を少なくして、その接続作業の簡易化を図ることができる給水又は給湯配管の接続構造を提供することにある。
【０００９】
【課題を解決するための手段】
上記の目的を達成するために、請求項１に記載の発明の給水又は給湯配管の接続構造は、床板の下方より上方へ引き出されるとともに、床板上に立設され、床板からの継手の高さを示す目盛が外周面に印されている筒状の固定部材内に挿通された可撓性を有する給水又は給湯配管と、水栓器具に接続されて下方へ延び、可撓性を有する接続配管とを、少なくとも止水栓を備えた継手に接続し、その継手を前記固定部材の上部に支持するものである。
【００１０】
【発明の実施の形態】
以下、台所における給水又は給湯配管の接続構造についての参考例を図面に基づいて詳細に説明する。
【００１１】
図１及び図２に示すように、台所の床板１１上には、ほぼ四角箱状をなすキャビネット１２が壁板１３に沿って立設され、そのキャビネット１２の上部には有底四角箱状をなすシンク１４が設置されている。キャビネット１２は、その前側（図２では右側）に図示されない扉により開閉可能に構成され、キャビネット１２内は扉と壁板１３との間に設置された仕切り板１５により仕切られている。キャビネット１２の高さの中央に位置する仕切り板１５の上部中央には、四角形状の点検作業口１６が形成され、その点検作業口１６には閉塞板１７が嵌め込まれて、閉塞される。
【００１２】
キャビネット１２の上面の壁板１３側には水栓金具１８、シャワー等の水栓器具が設置されている。その水栓金具１８の下端部には合成樹脂製の二本の接続配管１９の上端部が接続され、その下端部は下方へ延びている。前記接続配管１９は可撓性を有し、所望する角度に曲げてその延びる方向を調整することができるようになっている。図３及び図４に示すように、接続配管１９の下端部外周面には接続金具２０が形成され、その接続金具２０の先端外周面には外方へ円環状に突出するフランジ２１が形成されている。フランジ２１より先端側にはシールリング２２が装着されている。
【００１３】
図２及び図３に示すように、前記接続配管１９が接続される継手２３は、筒状をなすとともに、約４５度をなすように側面ほぼくの字状に形成されている。図３の破線に示すように、その継手２３の上端側には、側断面三角形状をなし、正面が四角形状に開口された支持部材２４が取付けられ、開口に継手２３の上端側が臨むようなっている。
【００１４】
そして、点検作業口１６の裏側に位置する壁板１３に形成された支持孔２５に、継手２３を支持した支持部材２４をはめ込んで、継手２３を壁板１３に支持することができるようになっている。また、支持部材２４の開口縁に、四角枠状をなすプレート２６を取付けて支持部材２４の開口縁を被覆する。
【００１５】
図４（ａ）、（ｂ）に示すように、継手２３内は水、湯等の流体が流通可能な流路２７が形成され、その流路２７のほぼ中間部内周面には、円環状をなす係合凹部２８が形成されている。継手２３の上端部には、前記接続金具２０の先端部を挿入接続可能な第１接続部２９が形成され、その第１接続部２９の先端外周縁には、外方へ円環状に突出する周縁フランジ２９ａが形成されている。
【００１６】
そして、接続金具２０をそのフランジ２１が周縁フランジ２９ａに当接するまで第１接続部２９内に挿入し、フランジ２１と周縁フランジ２９ａとをクリップ３０により挟持して、クイックジョイントにより両者が離間不能に接続される。
【００１７】
継手２３の下端部には、第１接続部２９に対して斜めに延びる第２接続部３１が形成され、その第２接続部３１内には、前記流路２７と連通する接続筒３２が設けられている。接続筒３２はその外周面と第２接続部３１の内周面との間に円環状をなす隙間を有するように形成され、その内奥部には円環状をなす当接面３３が形成されている。
【００１８】
前記当接面３３より下方の内周面には、第１溝部３４が凹設され、その第１溝部３４にはゴム材料により円環状に形成された第１シールリング３５が嵌着されている。前記第１溝部３４より下方の内周面には、収容凹部３６が形成され、その収容凹部３６の下端部には内方へ突出する円環状をなす係止面３７が形成されている。係止面３７より下方の内周面には、凹部３８が凹設され、その凹部３８の上端部には付勢部材としてのコイルスプリング３９の上端が接合されている。凹部３８より下方の内周面には、第２溝部４０が形成され、その第２溝部４０にはゴム材料により形成されたＯ−リング４１が嵌着されている。
【００１９】
前記隙間の内周面と接続筒３２の外周面との間には、ほぼ円筒状をなすロック部材４２が嵌入されている。そのロック部材４２の上端部の外周縁には、外方へ突出する係止片４３が形成され、内周面には内方へ若干突出する係合凸部４４が形成されている。ロック部材４２の下端側の内周面には第３溝部４５が凹設され、その第３溝部４５にはゴム材料等により円環状に形成された第２シールリング４６が嵌着されている。
【００２０】
図４（ａ）に示すように、係止片４３の上端部側は前記収容凹部３６内に収容されている。コイルスプリング３９の下端は円筒部４７の内端面に接合され、さらに、係止片４３を係止面３７に係止させてコイルスプリング３９を圧縮状態でロック部材４２の外周面と第２接続部３１の内周面との間の凹部３８内に配置し、ロック部材４２をコイルスプリング３９の付勢力により下方へ常に付勢している。そして、ロック部材４２等により第２接続部３１にワンタッチジョイントが構成されている。
【００２１】
継手２３の外周面において、第１接続部２９と第２接続部３１の間の中央よりやや上側には円筒状の止水口４８が形成され、その止水口４８は前記流路２７と連通している。止水口４８にはほぼ円筒状をなす止水栓４９が嵌入され、その先端面には掛止溝５０が形成されている。止水栓４９の先端側外周面にはシール部材５１が装着され、そのシール部材５１より止水栓４９の基端側には、先端側より内径が小さい係合筒部５２が形成されている。掛止溝５０に例えばマイナスドライバーの先端を掛止させて、止水栓４９を継手２３内部へ押し込むと、図４（ａ）の２点鎖線に示すように、係合筒部５２が流路２７の係合凹部２８に係合して流路２７を閉鎖する。そして、流路２７を流体が流通不能にすることができるようになっている。また、止水栓４９の押し込む量を調整して流体の流通量を調整することができるようになっている。
【００２２】
図１の破線及び図２に示すように、第２接続部３１に接続される給水配管５３及び給湯配管５４は、建築物の外部の水道管に接続された図示されない引込み管に接続され、さらに、壁板１３の裏面に沿って床板１１の下方より上方に引き出されて配設されている。給水配管５３及び給湯配管５４はポリオレフィン、例えば架橋ポリエチレン又はポリブテンにより円筒状に形成され、可撓性を有している。また、図３に示すように、給水配管５３及び給湯配管５４の上端部は縮径形成され、前記第２接続部３１のロック部材４２内に嵌入可能に形成されている。
【００２３】
そして、図４（ｂ）に示すように、給水配管５３又は給湯配管５４の上端部をロック部材４２内を介して第２接続部３１内に挿入するとともに、接続筒３２を給水配管５３及び給湯配管５４の内側に嵌入する。すると、ワンタッチジョイントにより給水配管５３又は給湯配管５４を第２接続部３１に接続することができるようになっている。その結果、床板１１の下方より上方へ引き出された給水配管５３又は給湯配管５４と、水栓金具１８に接続されて下方へ延びる接続配管１９とを、壁板１３に支持された継手２３の第２接続部３１と第１接続部２９とにそれぞれ接続して給水配管５３又は給湯配管５４の接続構造が構成される。
【００２４】
給水配管５３及び給湯配管５４の接続構造の作用について以下に記載する。
さて、図１の破線及び図２に示すように、キャビネット１２の上部に水栓金具１８を設置し、その下端部に二本の接続配管１９の上端部をそれぞれ接続するとともに、それらを壁板１３と仕切り板１５の裏側との間において下方へ延びるように配設する。
【００２５】
次に、仕切り板１５の点検作業口１６の裏側に位置する壁板１３に支持孔２５を２箇所に形成し、図３に示すように、各支持孔２５に継手２３をそれぞれ取付けてそれらを壁板１３に支持させ、プレート２６により支持部材２４の開口縁を被覆する。すると、第１接続部２９が壁板１３の表側に臨み、第２接続部３１が壁板１３の裏側に配置される。
【００２６】
次いで、図１の左側の継手２３の第２接続部３１に、図４（ｂ）に示すように、壁板１３の裏側に配設された給水配管５３の上端部をロック部材４２内を介して第２接続部３１内に挿入するとともに、接続筒３２を給水配管５３の内側に嵌入する。すると、給水配管５３の上端面が係合凸部４４に係合して、ロック部材４２を第２接続部３１の奥方へ押圧する。その結果、ロック部材４２がコイルスプリング３９の付勢力に抗して第２接続部３１の奥方へ移動すると同時に、係止片４３が収容凹部３６内に収容される。そして、給水配管５３の外面に対する係合凸部４４の抵抗が低減され、給水配管５３の上端面が係合凸部４４を通過して第２接続部３１の奥方へ挿入される。
【００２７】
さらに、給水配管５３の上端面が当接面３３に当接するまで挿入する。すると、コイルスプリング３９の下方への付勢力により係合凸部４４がロック部材４２側へ付勢され、係合凸部４４が給水配管５３の外面に係合する。すると、ワンタッチジョイントにより給水配管５３が第２接続部３１内に抜け出し不能に接続される。また、第１シールリング３５及び第２シールリング４６により給水配管５３の外周面と第２接続部３１及びロック部材４２の内周面との間がシールされる。加えて、給水配管５３は可撓性を有するため、所望する方向へ変形させることができ、給水配管５３の第２接続部３１への接続作業が効率良く行われる。
【００２８】
続いて、第１接続部２９に図１の左側の接続配管１９の接続金具２０を、図４（ａ）に示すように、そのフランジ２１が第１接続部２９の周縁フランジ２９ａに当接するまで挿入し、フランジ２１と周縁フランジ２９ａとをクリップ３０により挟持してクイックジョイントにより両者を離間不能に接続する。このとき、シールリング２２により、第１接続部２９の内周面と、接続配管１９の外周面との間がシールされる。また、接続配管１９は可撓性を有するため、その接続金具２０の位置を所望する方向へ移動させることができる。
【００２９】
その結果、図１及び図２に示すように、給水配管５３が継手２３及び接続配管１９を介して水栓金具１８に接続される。このとき、給水配管５３と水栓金具１８とは、給水配管５３と第２接続部３１との接続、第１接続部２９と接続配管１９との接続及び接続配管１９と水栓金具１８との接続を行うことにより接続される。そのため、接続箇所が３箇所しかないため、給水配管５３と接続配管１９との接続作業効率が向上するとともに、漏水のおそれが低減される。
【００３０】
また、継手２３には止水栓４９が一体化されているため、継手２３に止水栓４９を別に接続する必要がなく、給水配管５３と水栓金具１８との接続作業の簡易化を図ることができる。さらに、継手２３、接続配管１９及び給水配管５３は仕切り板１５の裏側に配置されているため、扉を開けてキャビネット１２内を視認したとき、その外観の低下が防止される。また、仕切り板１５にはめ込まれた閉塞板１７を取り外すことにより、点検作業口１６から継手２３と接続配管１９及び給水配管５３を確認することができる。さらに、右側の継手２３に対しても接続配管１９及び給湯配管５４を同様に接続する。その結果、水栓金具１８に継手２３を介して給水配管５３及び給湯配管５４が接続される。
【００３１】
前記の参考例によって発揮される効果について、以下に記載する。
・  台所において、水栓金具１８は継手２３及び接続配管１９を介して給水配管５３又は給湯配管５４と接続されているため、両者の間の接続箇所は３箇所である。そのため、水栓金具１８と給水配管５３との間に、給水配管５３とエルボとの接続、エルボと止水栓との接続、止水栓と逆止弁ソケットとの接続、逆止弁ソケットと接続配管１９との接続及び接続配管１９と水栓金具１８との接続が必要である従来と異なり、水栓金具１８と給水配管５３との間の接続箇所を少なくして、その施工作業の簡易化を図ることができるとともに、漏水のおそれを低減することができる。
【００３２】
・  接続配管１９、継手２３、給水配管５３及び給湯配管５４は仕切り板１５の裏側に配置されている。そのため、キャビネット１２内を視認したとき、その外観の低下を防止することができる。
【００３３】
・  仕切り板１５には、点検作業口１６が形成され、その点検作業口１６の裏側に継手２３が配置されている。そのため、その点検作業口１６から継手２３と接続配管１９及び継手２３と給水配管５３又は給湯配管５４との接続部分を容易に確認することができるとともに、その修理作業等を容易に行うことができる。また、通常は点検作業口１６に閉塞板１７がはめ込まれているため、キャビネット１２内に継手２３、接続配管１９及び給水配管５３が見えるのを防止することができる。
【００３４】
・  継手２３はキャビネット１２の高さの中央に位置するように配置されている。そのため、継手２３が床板１１の直近にある場合と異なり、接続配管１９を短くしてその材料の節約を図ることができる。
【００３５】
・  第１接続部２９は第２接続部３１に対して斜め上方に延びて設けられ、継手２３を壁板１３に取付けたとき、第１接続部２９は斜め上方に延びている。そのため、第１接続部２９が第２接続部３１に対して直角をなし、接続配管１９を直角に折り曲げて第１接続部２９に接続する場合と異なり、その接続作業を容易に行うことができる。
【００３６】
・  第１接続部２９と接続配管１９とはクイックジョイントにより接続され、第２接続部３１と給水配管５３又は給湯配管５４とはワンタッチジョイントにより接続される。そのため、それらの接続作業を容易に行うことができる。
以下、本願の発明を台所における給水又は給湯配管の接続構造に具体化した実施形態について図面に基づいて説明する。
図７に示すように、壁板１３の表側の床板１１に形成された孔５７を通過して床板１１の下方より上方へ給水配管５３又は給湯配管５４を引き出す。その給水配管５３又は給湯配管５４を、床板１１上に立設されたほぼ円筒状をなす固定部材５８内に挿通する。この固定部材５８は、ほぼ円筒状をなし外周面に円環状のフランジ部５９を備える嵌合部材５８ａと、その嵌合部材５８ａのフランジ部５９上に設けられる円筒状の立設部材５８ｂとより構成されている。フランジ部５９には取付孔５９ａが形成され、その取付孔５９ａから床板１１に取付部材５９ｂを打込可能になっている。また、立設部材５８ｂの外周面には上下方向に沿って所定間隔毎に目盛５８ｃが印されている。
そして、固定部材５８の使用の際は、まず、継手２３が配置される床板１１からの高さを測定し、その高さに継手２３が位置するように立設部材５８ｂの目盛５８ｃに対応させる。次いで、その目盛５８ｃから立設部材５８ｂの下端側を切断除去し、その立設部材５８ｂを嵌合部材５８ａの上側に嵌合する。次に、固定部材５８内に給水配管５３又は給湯配管５４が挿通するように、床板１１の孔５７に嵌合部材５８ａの下端側を嵌合させる。さらに、取付孔５９ａから床板１１に取付部材５９ｂを打ち込んで、固定部材５８を床板１１上に取付けるとともに、固定部材５８を床板１１上に立設する。
続いて、給水配管５３又は給湯配管５４の上端部を継手２３の第２接続部３１に接続するとともに、継手２３を固定部材５８の上端面に支持させて取付ける。さらに、その継手２３の第１接続部２９に接続配管１９を接続する。
このように構成した場合、固定部材５８により、継手２３を壁板１３に固定することなく配置することができる。立設部材５８ｂには目盛５８ｃが形成されているため、継手２３の配置される床板１１からの高さを立設部材５８ｂの目盛５８ｃに対応させて切断することにより、立設部材５８ｂの高さ調節を行うことができる。また、給水配管５３又は給湯配管５４の外面を保護することができる。
【００３７】
なお、本実施形態および参考例は、次のように変更して具体化することも可能である。
（１）  図５及び図６に示すように、継手２３をほぼ直線状に形成し、参考例と同様の構成の第１接続部２９を継手２３の一端部に、第２接続部３１を継手２３の他端部に、止水口４８を継手２３の外側面に形成し、その止水口４８に止水栓４９を嵌入して構成する。また、板材を直角に折り曲げて支持部材２４を形成し、その支持部材２４の上面に、継手２３の上端側を保持させてもよい。
【００３８】
そして、継手２３を保持した支持部材２４の側面から壁板１３に固定ねじ５６をねじ込んで、その支持部材２４を壁板１３の表側に取付けて継手２３を壁板１３に支持させてもよい。さらに、その継手２３の第１接続部２９に、図５の破線に示すように、水栓金具１８に接続され、下方へ延びる接続配管１９を接続し、第２接続部３１に、壁板１３の表側の床板１１の下方より上方へ引き出された給水配管５３又は給湯配管５４を接続し、接続配管１９、継手２３及び給水配管５３又は給湯配管５４を壁板１３の表側と仕切り板１５の裏側との間に配置してもよい。また、継手２３と支持部材２４とを一体化してもよい。
【００３９】
このように構成した場合も、水栓金具１８と給水配管５３との接続箇所を少なくして、その接続作業の簡易化を図ることができるとともに、漏水のおそれを低減することができる。また、接続配管１９、継手２３及び給水配管５３又は給湯配管５４が壁板１３の表側と仕切り板１５の裏側との間に配置されているため、それらの点検作業や修理作業等を容易に行うことができる。
【００４０】
加えて、接続配管１９と給水配管５３又は給湯配管５４とをほぼ直線状態に配置することができ、流体の流通時に接続配管１９と給水配管５３又は給湯配管５４に流体による大きな抵抗が作用するのを抑制して、それらを損傷を受けにくくすることができる。
【００４１】
（２）  実施形態の固定部材５８の上端には、参考例の継手２３又は上記（１）に記載の継手２３を支持させてもよい。
【００４４】
このように構成した場合、固定部材５８により、継手２３を壁板１３に固定することなく配置することができる。立設部材５８ｂには目盛５８ｃが形成されているため、継手２３の配置される床板１１からの高さを立設部材５８ｂの目盛５８ｃに対応させて切断することにより、立設部材５８ｂの高さ調節を行うことができる。また、給水配管５３又は給湯配管５４の外面を保護することができる。
【００４５】
（３）  給水配管５３又は給湯配管５４を壁板１３と仕切り板１５との間に配設し、その上端側を壁板１３を貫通して壁板１３の裏側へ配置して、その上端部に第２接続部３１により参考例の継手２３又は上記（１）に記載の継手２３を接続する。さらに、その継手２３の第１接続部２９に接続配管１９の下端部を接続し、その上端部を壁板１３の裏側に設置された給湯器等に接続してもよい。このように構成した場合も、実施形態および参考例と同様の効果を発揮させることができる。
【００４６】
（４）  参考例の継手２３と支持部材２４とを別体化してもよい。このように構成した場合、支持部材２４を壁板１３に取付けた後に継手２３を支持部材２４に支持させることができ、支持部材２４に対する継手２３の位置を所望する位置に変更することができる。
【００４７】
（５）  第１接続部２９のクイックジョイントを第２接続部３１と同様の構成のワンタッチジョイントにしてもよい。又は第２接続部３１のワンタッチジョイントを第１接続部２９と同様の構成のクイックジョイントにしてもよい。
【００４８】
（６）  キャビネット１２内の仕切り板１５を省略してもよい。このように構成した場合、キャビネット１２内を簡素化することができる。
（７）  仕切り板１５の点検作業口１６を省略してもよい。このように構成した場合、仕切り板１５の構造を簡素化することができる。
【００４９】
（８）  参考例の継手２３又は上記（１）に記載の継手２３に逆止弁又は定流量弁を一体形成してもよい。さらに、その継手２３の流路２７にストレーナを設置してもよい。又は参考例の継手２３又は上記（１）に記載の継手２３の流路２７にストレーナのみを設置してもよい。
【００５０】
（９）  参考例の継手２３又は上記（１）に記載の継手２３の第２接続部３１に接続配管１９を接続し、第１接続部２９に給水配管５３又は給湯配管５４を接続してもよい。
【００５１】
（１０）  参考例の継手２３又は上記（１）に記載の継手２３に第１接続部２９及び第２接続部３１をそれぞれ２箇所以上有するように継手２３を構成してもよい。このように構成した場合、１つの継手２３により給水配管５３及び給湯配管５４を２本以上接続することができ、継手２３を２つ壁板１３に取り付ける場合と異なり、施工作業の簡易化を図ることができる。
【００５２】
（１１）  給水配管５３及び給湯配管５４を、その上端部を縮径形成せずに、第２接続部３１のロック部材４２内に嵌入可能な円筒状に形成してもよい。
さらに、前記実施形態および参考例より把握できる技術的思想について以下に記載する。
【００５３】
・  前記仕切り板には、点検作業口を閉塞する閉塞板が取り付けられる請求項１に記載の給水又は給湯配管の接続構造。
このように構成した場合、仕切り板の裏側が視認されるのを防止することができる。
【００５４】
・  前記継手は、接続配管が接続される接続部が給水又は給湯配管が接続される別の接続部に対して斜め上方に延びるように壁板に支持される請求項１に記載の給水又は給湯配管の接続構造。
【００５５】
このように構成した場合、接続配管の接続作業を容易に行うことができる。
・  前記継手の接続配管が接続される接続部及び給水又は給湯配管が接続される別の接続部の少なくとも一方は、接続配管又は給水若しくは給湯配管を挿入するのみで接続可能なワンタッチジョイントである請求項１に記載の給水又は給湯配管の接続構造。
【００５６】
このように構成した場合、接続配管又は給水若しくは給湯配管を、接続部に容易に接続することができる。
【００５９】
【発明の効果】
以上詳述したように、この発明によれば、次のような効果を奏する。
請求項１に記載の発明の給水又は給湯配管の接続構造は、継手を壁板に固定することなく配置することができる。また、継手の配置される床板からの高さを目盛に対応させて固定部材を切断することにより、固定部材の高さ調節を容易に行うことができる。
【図面の簡単な説明】
【図１】  参考例の給水又は給湯配管の接続構造を示す分解斜視図。
【図２】  参考例の給水又は給湯配管の接続構造を示す側断面図。
【図３】  継手と接続配管及び給水配管とを示す分解斜視図。
【図４】  （ａ）は参考例の継手と接続配管とを示す半断面図、（ｂ）は継手と給水配管との接続構造を示す半断面図。
【図５】  給水又は給湯配管の接続構造の別例を示す分解斜視図。
【図６】  別例の継手を示す部分側断面図。
【図７】  別例の継手と実施形態の固定部材を示す側断面図。
【図８】  従来の接続配管と給水配管との間の接続を示す分解斜視図。
【符号の説明】
１１…床板、１２…キャビネット、１３…壁板、１５…仕切り板、１６…点検作業口、１８…水栓器具としての水栓金具、１９…接続配管、２３…継手、２９…第１接続部、３１…第２接続部、４９…止水栓、５３…給水配管、５４…給湯配管、５８…固定部材、５８ｃ…目盛。
【図１】
0003655515.tif 000002
【図２】
0003655515.tif 000003
【図３】
0003655515.tif 000004
【図４】
0003655515.tif 000005
【図５】
0003655515.tif 000006
【図６】
0003655515.tif 000007
【図７】
0003655515.tif 000008
【図８】
0003655515.tif 000009